(57)【要約】      （修正有）【課題】窓を閉めたまま、換気するのに必要十分な少ない風量で涼風が得られ、集塵装置が長期間目詰まりせず、また、窓を開けて涼を取る機会を得ることが可能な涼風給気装置を提供する。【解決手段】室外空気採取口５を有し、その下流側に集塵装置と送風機を設け、その下流側に口ばし状に先端が尖った吹出しノズル１１を設け、清浄化して取り込んだ室外空気を部屋へ吹き出し、室内空気を巻き込んで涼風を作る涼風給気装置１を得る。【選択図】図５
2015090239.tif 000002
【特許請求の範囲】
【請求項１】
室外空気採取口を有し、その下流側に集塵装置と送風機を設け、その下流側に口ばし状に先端が尖った吹出しノズルを設け、清浄化して取り込んだ室外空気を部屋へ吹き出し、室内空気を巻き込んで涼風を作る涼風給気装置。
【請求項２】
集塵装置および送風機の下流側に開閉可能な低速給気口を有する請求項１記載の涼風給気装置。
【請求項３】
大気塵濃度測定装置を室外空気採取口に設けた請求項１または２記載の涼風給気装置。
【請求項４】
先端の尖った吹出しノズルを構成するなだらかなディフューザー面に誘引気流補助ノズルを設けた請求項１乃至３いずれかに記載の涼風給気装置。
【発明の詳細な説明】
【技術分野】
【０００１】
本発明は、室外の空気を部屋に入れて換気を行う給気装置に関するものである。
【背景技術】
【０００２】
従来、特許文献１記載に記載されるような室外の空気を部屋に入れて換気するする給気装置が知られている。以下、その給気装置について説明する。
【０００３】
特許文献１記載の給気装置は図１０に示すように上流側から順に吸込み口１０１、羽根１０３とモーター１０４からなる送風機１０２、集塵フィルタ１０５、吹出し口１０６の順で構成され、吸込み口１０１を室外に向けて壁１０７に設置される。通風方向１０８が示すように送風機１０２によって室外の空気を吸込み口１０１から取り入れ、集塵フィルタ１０５で空気中の大気塵を除去し、吹出し口１０６から清浄化された空気を室内へ供給する。部屋の温度が室外よりも低いと、空気中の水分が結露して吹出し口に水滴が発生して壁や人を濡らしてしまうことがあるが、本体ケース１０９の上に化粧パネル１１０をかぶせて２重構造とし、断熱性能を高めることでその問題の発生を防止している。
【先行技術文献】
【特許文献】
【０００４】
特開２００３−２８４７６号公報（第１図）
【発明の概要】
【発明が解決しようとする課題】
【０００５】
特許文献記載の給気装置は、部屋の空気を単純に入れ替える機能しかなく、暑いときに窓を開けて得られるような涼風が得られない。また、窓を開けて涼風を得ようとした場合、汚染されて多量の大気塵で汚染された室外空気がそのまま部屋に入ることになり、人々の健康を害する。
【０００６】
代替手段として特許文献記載の給気装置の風量を上げて涼風を得ようとする場合、多量の大気塵を集塵フィルタは捕集除去しなくてはならなくなり、すぐに目が詰まってしまう。また、風量を上げると集塵フィルタの圧力損失が高くなりすぎて涼を感じるだけの風が得られないという問題が発生する。
【０００７】
また、室外の空気の汚染度がわからないため、室外の涼風を得るために窓を開けてよいかどうかか判断できない。
【０００８】
そこで本発明は、上記従来の課題を解決するものであり、窓を閉めたまま、換気するのに必要十分な少ない風量で涼風が得られ、集塵装置が長期間目詰まりせず、また、窓を開けて涼を取る機会を得ることが可能な涼風給気装置の提供を目的とする。
【課題を解決するための手段】
【０００９】
上記課題を解決するために、本発明の涼風給気装置は、室外空気採取口を有し、その下流側に集塵装置と送風機を設け、その下流側に口ばし状に先端が尖った吹出しノズルを設け、清浄化して取り込んだ室外空気を部屋へ吹き出し、室内空気を巻き込んで涼風を作ることにより初期の目的を達成するものである。
【発明の効果】
【００１０】
本発明の涼風給気装置は、換気に必要な量の室外空気を清浄化する。そして清浄化した室外空気を吹出しノズルから室内へと吹き出して高速気流を得る。この高速気流を用いて室内空気を巻き込んで涼風を作るため、部屋の換気と空気清浄、および涼風を得ることの３つの効果を同時に得ることができる。
【００１１】
また、換気するだけの量のみの室外空気を取り込み、余分なたくさんの室外空気を取り込まないため、長期間において集塵装置が目詰まりしない。
【図面の簡単な説明】
【００１２】
【図１】本発明の実施の形態１の壁に涼風給気装置を設置した部屋を示す構成図
【図２】同涼風給気装置を側面から見た部屋を示す構成図
【図３】同涼風給気装置が設置された部屋を室外から見た図
【図４】同ウェザーフードを非表示にして部屋を室外から見た図
【図５】同涼風給気装置の構成図
【図６】同面Ａにおける涼風給気装置の断面図
【図７】同後部カバーを取り外した涼風給気装置を示す構成図
【図８】同シャッターが閉じた状態の涼風給気装置を示す構成図
【図９】同シャッターが開いた状態の涼風給気装置を示す構成図
【図１０】特許文献に記載の給気装置を示す構成図
【発明を実施するための形態】
【００１３】
本発明の請求項１記載の涼風給気装置は、室外空気採取口を有し、その下流側に集塵装置と送風機を設け、その下流側に口ばし状に先端が尖った吹出しノズルを設け、清浄化して取り込んだ室外空気を部屋へ吹き出し、室内空気を巻き込んで涼風を作るものである。
【００１４】
これにより、換気に必要な量の室外空気を清浄化する。そして清浄化した室外空気を吹出しノズルから室内へと吹き出して高速気流を得る。この高速気流を用いて室内空気を巻き込んで涼風を作るため、部屋の換気と空気清浄、および涼風を得ることの３つの効果を同時に得ることができる。
【００１５】
また、換気するだけの量のみの室外空気を取り込み、余分なたくさんの室外空気を取り込まないため、長期間において集塵装置が目詰まりしない。
【００１６】
また、請求項２記載の涼風給気装置は、集塵装置および送風機の下流側に開閉可能な低速給気口を有するものである。
【００１７】
これにより、低速給気口から室外空気を部屋に供給することができ、必要のないときは涼風を停止して換気のみを行うことができる。
【００１８】
また、請求項３記載の涼風給気装置は、大気塵濃度測定装置を室外空気採取口に設けたものである。
【００１９】
これにより、室外空気が汚染されているかどうかを知ることができ、窓を開けて室外の涼風を得るという機会を得ることができる。
【００２０】
また、請求項４記載の涼風給気装置は、先端の尖った吹出しノズルを構成するなだらかなディフューザー面に誘引気流補助ノズルを設けたものである。
【００２１】
これにより、涼風の風量を大きくして確実な涼風感を得ることができる。
【００２２】
以下、本実施の形態について図面を参照しながら説明する。
【００２３】
（実施の形態１）
以下、本実施の形態について図面を参照しながら説明する。
【００２４】
本発明の涼風給気装置１を設けた部屋の構成図を図１に示す。また、涼風給気装置１を側面から見た部屋の構成図を図２に、部屋を外から見た図を図３に、ウェザーフード２を非表示にして部屋を外から見た図を図４に示す。
【００２５】
涼風給気装置１は、部屋の窓３の上の壁４に取り付けられており、壁４を貫通する室外空気採取口５から取り込んだ室外空気を通風方向６にしたがって部屋へ供給している。そして、入ってきた室外空気と同じ分量の室内空気が、壁４に設けた排気孔７を通って室外に押し出されるように排出される。また、雨が部屋に入ることを防ぐ目的で、室外空気採取口５を隠すようにウェザーフード２が部屋の外壁に設置されている。
【００２６】
一般に換気は、部屋の二酸化炭素を減らし、酸素を供給する、または建材や家具から発生する揮発性化学物質を排出する目的で行われる。換気回数は、１時間で入れ替わった空気量を部屋の容積で割ることで表される。一般的に、換気回数は０．５回／ｈ以上あればよいとされているので、１０畳の部屋で７８ｍ3／ｈの風量で換気すれば、ほぼ２回／ｈの換気回数が得られ０．５回／ｈを十分に満足することができる。しかし、７８ｍ3／ｈの風量で室外空気を部屋に給気しても涼を得るほどの風を感じることはできない。涼を得るのには、例えばプロペラ羽根を有する一般的な扇風機が起こす風は１０００ｍ3／ｈ以上、風速にして１．２ｍ／ｓ以上必要であることから、前記７８ｍ3／ｈの換気風量は非常に小さく、不十分と言える。
【００２７】
仮に、涼を得るために１０００ｍ3／ｈの風量で室外空気を部屋に給気しようとすると、後述する集塵フィルタがすぐに目詰まりを起こしてしまったり、そもそも集塵フィルタの圧力損失が高くなりすぎて室外空気を部屋に供給できない。
【００２８】
また、窓３を開けて室外から風を得ようとすると、自動車、工場、発電所、または暖房などによる化石燃料の燃焼で発生したＰＭ２．５を含む大気塵で汚染された空気が室内に入ってしまい、人の健康が害される。
【００２９】
そこで、本発明の涼風給気装置は、換気と換気に伴う給気空気の浄化を行いながら、窓を閉め切っていても、まるで窓を開けたかのような涼風が得られる換気扇を提供する目的で発案された。その構成図を図５に、面Ａによる断面図を図６に示す。また、構造を詳しく示すために後部カバー８を外した涼風給気装置１を図７に示す。
【００３０】
涼風給気装置１は、送風機１０によって通風方向６にしたがって室外空気採取口５から室外空気を取り入れ、集塵装置９で室外空気に含まれる大気塵を除去し、大気塵を除去して清浄化された室外空気を吹出しノズル１１および誘引気流補助ノズル１２から室内へと吹き出す。したがって、清浄化された室外空気で部屋が満たされるため、部屋の中は換気と空気清浄という２つの効果が同時に実現される。ちなみに部屋の中で粉塵が発生して室内空気が汚染されても、清浄化された室外空気が部屋の中に供給され、その分だけ部屋の中の汚れた空気が排気孔を通じて室外に排出されるため室内空気は清浄に保たれる。
【００３１】
なお、通風方向における集塵装置９と送風機１０の配置はどちらが風上側にあってもかまわない。また、集塵装置９はシート状濾材を蛇腹状に織り込んだプリーツフィルタや電気集塵機など、大気塵を捕集除去する機能を有する装置であれば何でもかまわない。
【００３２】
吹出しノズル１１からはおよそ１０ｍ／ｓの風速を有する吹出し気流Ａ１４が吹き出されており、吹出し気流Ａ１４は吹出しノズル１１近傍の室内空気を巻き込んで誘引気流Ａ１５を作り出す。また、吹出しノズル１１を形作る上下のディフューザー面１３それぞれに設けた誘引気流補助ノズル１２からもおよそ１０ｍ／ｓの風速を有する吹出し気流Ｂ１６が吹き出されており、ディフューザー面１３近傍の空気をディフューザー面１３に沿って誘引し、誘引気流Ｂ１７を作り出す。
【００３３】
ディフューザー面１３を伝わって流れる誘引気流Ｂ１７によって誘引気流Ａ１５は後押しを受け、加速する。そして速くて大きな風を吹出しノズル１１の向いた方向に生み出す。誘引気流Ａ１５および誘引気流Ｂ１７によって生み出された風は、元となる吹出し気流のおよそ１５倍に増幅された風量を有する風となる。したがって吹出しノズル１１および補助ノズル１２から吹き出される空気が合わせて７８ｍ3／ｈの場合は１０００ｍ3／ｈ以上の風量を有する風を作ることができ、人が涼を得るのに十分な涼風を得ることができる。
【００３４】
また、図７に示すように、室外空気採取口５には、大気塵濃度測定装置１８が設けられている。大気塵濃度測定装置１８によって室外空気が清浄かどうかを知ることができるため、室外空気が清浄なときに窓を開けて換気し、涼を取る機会を得ることができる。なお、大気塵濃度測定装置１８は、大気塵に当てた光が散乱して減衰する原理を利用した散乱光検出器などを用いることができる。
【００３５】
次に、シャッター１９によって低風速吹出し口２０が閉じられた涼風給気装置１を図８に、シャッター１９によって低風速吹出し口２０が開けられた涼風給気装置１を図９に示す。
【００３６】
例えば冬の寒いときには涼風はかえって不快になりえる。このように体感温度によって涼風が必要ない場合が発生するが、換気や空気清浄は基本的に年中必要である。換気と空気清浄をしながら涼風を止める目的で、低風速吹出し口２０とそれを開閉するシャッター１９を設けている。
【００３７】
涼風が必要なときは図８のようにシャッター１９で低速吹出し口２０を閉じ、室外空気を吹出しノズル１１および誘引気流補助ノズル１２から吹き出して誘引気流Ａ１５および誘引気流Ｂ１７を作り出し、涼風を得る。涼風が必要ないときは図９のようにシャッター１９を動かして低速吹出し口２０を開き、取り入れた室外空気のほとんどを低速吹出し口２０から部屋へと吹き出す。
【００３８】
吹出しノズル１１および誘引気流補助ノズル１２の通風面積は小さくて吹き出すのに高い圧力が必要であり、低速吹出し口２０は通風面積が大きいため吹き出すのに高い圧力が必要ない。したがって低速吹出し口２０を開けるだけで自動的に低速吹出し口２０からほとんどの室外空気を低速吹出し口２０側から吹き出すことができる。
【００３９】
低速吹出し口２０の形とサイズを直径１２０ｍｍの円とし、換気風量を７８ｍ3／ｈとした場合、吹き出し風速はおよそ２ｍ／ｓと低速になるため誘引気流によって大きな涼風が発生することはない。したがって低風速吹出し口１８を開けることで涼風を止め、換気と空気清浄のみを行うことが可能となる。
【産業上の利用可能性】
【００４０】
本発明にかかる涼風給気装置は、清浄空気を室内に入れて換気すると同時に窓を開けなくても涼風が得られるため、室内空気清浄、換気、窓開け同等の涼風という３つの効果を同時に得られる換気扇として有用である。
【符号の説明】
【００４１】
１  涼風給気装置
２  ウェザーフード
３  窓
４  壁
５  室外空気採取口
６  通風方向
７  排気孔
８  後部カバー
９  集塵装置
１０  送風機
１１  吹出しノズル
１２  誘引気流補助ノズル
１３  ディフューザー面
１４  吹出し気流Ａ
１５  誘引気流Ａ
１６  吹出し気流Ｂ
１７  誘引気流Ｂ
１８  大気塵濃度測定装置
１９  シャッター
２０  低速吹出し口
【図１】
2015090239.tif 000003
【図２】
2015090239.tif 000004
【図３】
2015090239.tif 000005
【図４】
2015090239.tif 000006
【図５】
2015090239.tif 000007
【図６】
2015090239.tif 000008
【図７】
2015090239.tif 000009
【図８】
2015090239.tif 000010
【図９】
2015090239.tif 000011
【図１０】
2015090239.tif 000012